(57)【要約】      （修正有）【課題】従来鍋の蓋は鍋と一体化しているものであり、鍋蓋のツマミは大抵のものが球状の滑り易い状態のものである。しかしこれからのシルバー社会に向けて手先が不自由な老人達が自炊が安全にできないばかりでなく、油を使った料理ではツマミが滑りやすく、狭い調理場では蓋の置き場所に困るものである。【解決手段】これからのシルバー社会に向けて手先が不自由な老人達が自炊を安全にできるように、また、滑り易いツマミ１を持ちやすくし、調理中蓋の置き場所を取らないスタンドは狭い調理場でも重宝されるものである。１は、鍋蓋ツマミ、２は、鍋蓋押さえ、３は、鍋蓋取手スタンド本体、４は、延長スタンド、５は、アジャスターである。【選択図】図４
0003115230.tif 000002
【実用新案登録請求の範囲】
【請求項１】
鍋の蓋つかみに着脱式の取手スタンドを付け、握り部分は手先の不自由な方や老人が持ち易く、また、調理中の蓋の置き場所に困らないようにスタンドを設け、１個あれば他の鍋蓋にも共用できるのを特徴としている、着脱式鍋蓋取手スタンド。
【考案の詳細な説明】
【技術分野】
【０００１】  本考案は、鍋蓋のツマミ部分に装着式の取手スタンドを設けた鍋蓋掴みに関するものである。
【背景技術】
【０００２】  調理中の鍋蓋は熱くなっている場合があったり、手が油で滑りやすくなっていたり、手先の不自由な方や、老人が鍋蓋のツマミを掴んでも蓋の重さで落としやすい。また、熱い鍋蓋は調理中に置き場所に困っていた。
【考案の開示】
【考案が解決しようとする課題】
【０００３】  本考案は、鍋蓋の為に新しい鍋を購入することは経済的負担がかかるものであり、着脱式の鍋蓋取手スタンドを使うことにより、１台あれば現存の大抵の鍋蓋に装着でき、鍋蓋のサイズにかかわりなく使用可能である。
【課題を解決するための手段】
【０００４】  鍋蓋のツマミを交換することなく、新しい鍋を購入することもなく着脱式の取手スタンドを装着するだけで、経済的にも負担が少ない。
【考案の効果】
【０００５】  調理中の鍋蓋は熱くなっている場合があったり、手が油で滑りやすくなっていたり、手先の不自由な方や、老人が鍋蓋のツマミを掴んでも蓋の重さで落としやすい。また、熱い鍋蓋は調理中に置き場所に困っていたが、本鍋蓋取手スタンドを使うことにより、リハビリ中の方や、これから迎える老人社会に効果的に役立つものである。
【考案を実施するための最良の形態】
【０００６】  取手付きスタンドの先を鍋蓋ツマミの首部分に差込み、アジャスターで取手を固定する。また、鍋蓋の大きさによりスタンドも長さを調節する。
【実施例】
【０００７】  鍋蓋のツマミの首に当たる部分は耐熱性があり滑りにくいシリコンゴムを使用し、取手はフェノール樹脂を使用、掴み易い波状にする。【０００８】  鍋蓋のツマミの首部分に取手スタンドの先を当てアジャスターで固定する。スタンドの長さも調整でき、それぞれ固定、開放できる。
【図面の簡単な説明】
【０００９】
【図１】本考案の着脱式鍋蓋取手スタンドの上から見た図である。
【図２】本取手スタンドの側面図である。
【図３】装着式鍋蓋取手スタンドの実施例を上から見た図である。
【図４】本鍋蓋取手スタンド装着時の側面図である。
【符号の説明】
【００１０】１  鍋蓋ツマミ
２  鍋蓋押さえ
３  鍋蓋取手スタンド本体
４  延長スタンド
５  アジャスター
【図１】
0003115230.tif 000003
【図２】
0003115230.tif 000004
【図３】
0003115230.tif 000005
【図４】
0003115230.tif 000006
【手続補正書】
【提出日】平成17年7月14日(2005.7.14)
【手続補正１】
【補正対象書類名】実用新案登録請求の範囲
【補正対象項目名】全文
【補正方法】変更
【補正の内容】
【実用新案登録請求の範囲】
【請求項１】
鍋の蓋ツマミの首部分（ｂ）に着脱式の取手スタンドを装着し、スタンド先端部にあるアジャスター（ｆ）と鍋蓋押さえで鍋蓋を固定し、スタンド部分（ｄ）には手の指に合わせたウェーブを付けて滑り止め効果を狙い、鍋蓋の大きさに合わせてスタンドの長さ、蓋ツマミの首部分の太さに調整できるように各々アジャスターを有する構造の着脱式鍋蓋取手スタンド。
【手続補正２】
【補正対象書類名】明細書
【補正対象項目名】全文
【補正方法】変更
【補正の内容】
【考案の詳細な説明】
【技術分野】
【０００１】  本考案は、鍋蓋のツマミ部分に装着式の取手スタンドを設けた鍋蓋掴みに関するものである。
【背景技術】
【０００２】  調理中の鍋蓋は熱くなっている場合があったり、手が油で滑りやすくなっていたり、手先の不自由な方や、老人が鍋蓋のツマミを掴んでも蓋の重さで落としやすい。また、
熱い鍋蓋は調理中に置き場所に困っていた。
【考案の開示】
【考案が解決しようとする課題】
【０００３】  本考案は、鍋蓋の為に新しい鍋を購入することは経済的負担がかかるものであり、着脱式の鍋蓋取手スタンドを使うことにより、１台あれば現存の大抵の鍋蓋に装着でき、鍋蓋のサイズにかかわりなく使用可能である。
【課題を解決するための手段】
【０００４】  鍋蓋のツマミを交換することなく、新しい鍋を購入することもなく着脱式の取手スタンドを装着するだけで、経済的にも負担が少なく、鍋の蓋つかみに着脱式の取手スタンドを付け、握り部分は手先の不自由な方や老人が持ち易く、また、調理中の蓋の置き場所に困らないようにスタンドを設け、１個あれば他の鍋蓋にも共用できるのを特徴としている、着脱式鍋蓋取手スタンド。
【考案の効果】
【０００５】  調理中の鍋蓋は熱くなっている場合があったり、手が油で滑りやすくなっていたり、手先の不自由な方や、老人が鍋蓋のツマミを掴んでも蓋の重さで落としやすく、熱い鍋蓋は調理中に置き場所に困っていたが、本鍋蓋取手スタンドを使うことにより、リハビリ中の方や、これから迎える老人社会に効果的に役立つものである。
【考案を実施するための最良の形態】
【０００６】  取手付きスタンドの先を鍋蓋ツマミの首部分に差込み、アジャスターで取手を固定する。また、鍋蓋の大きさによりスタンドも長さを調節する。
【実施例】
【０００７】  鍋蓋のツマミの首に当たる部分は耐熱性があり滑りにくいシリコンゴム（ｈ）を使用し、取手はフェノール樹脂（ｄ）を使用、掴み易い波状にする。【０００８】  鍋蓋のツマミの首部分に取手スタンドの先を当て装着し、アジャスターで首部分とスタンドの長さを調整し、それぞれ固定、開放できる。
【図面の簡単な説明】
【０００９】
【図１】（Ａ）鍋の蓋の図（Ｂ）本考案の着脱式鍋蓋取手スタンドの上から見た図
【図２】本取手スタンドの側面図
【図３】（Ａ）装着式鍋蓋取手スタンドの使用例を側面から見た図（Ｂ）装着式鍋蓋取手スタンド装着時の側面から見た図
【図４】本鍋蓋取手スタンドを鍋蓋に装着時の上から見た図
【符号の説明】
【００１０】  ａ  鍋蓋ツマミ
ｂ  鍋蓋ツマミの首部分
ｃ  鍋蓋押さえ
ｄ  鍋蓋取手スタンド部分
ｅ  スタンドアジャスター（延長部分）
ｆ  鍋蓋首部分のアジャスター
ｇ  スタンド手持ち部分のウェーブ
ｈ  シリコンゴム
【手続補正３】
【補正対象書類名】図面
【補正対象項目名】全図
【補正方法】変更
【補正の内容】
【図１】
0003115230.tif 000007
【図２】
0003115230.tif 000008
【図３】
0003115230.tif 000009
【図４】
0003115230.tif 000010